(57)【要約】  本発明は、無停電電源供給装置(ＵＰＳ)に対する自動監視システム及びこれを利用した自動復旧方法を開示する。  本発明のＵＰＳ自動監視システムは、ＵＰＳの電源供給経路が正常電源ラインからバイパスラインに切り換わると、先ず一定回数のあいだ電源供給経路を再度強制的に正常電源ラインに復旧させ、それでも復旧されない場合はバイパスラインを介し電源が供給されるようにする。これを介し、ＵＰＳの一時的な異常で電源供給経路がバイパスラインに切り換わる場合、速やかに正常電源経路に復帰させることができるので、ＵＰＳ装置による電源供給がより安定的になされ得るようにする。
2010509902.tif 000002
【特許請求の範囲】
【請求項１】
ＵＰＳの電源供給経路が正常電源ラインからバイパスラインに切り換わるとき、既に設定された回数ほど電源供給経路を再度強制的に正常電源ラインに復旧させるＵＰＳ自動監視システム。
【請求項２】
前記自動監視システムは、
バイパス信号が発生するとき、ＵＰＳのインバータをオンさせるためのインバータオン信号を発生させるインバータオン発生部と、
前記バイパス信号、前記インバータオン信号及び復旧中断信号に応じて前記電源供給経路を前記バイパスラインから前記正常電源ラインへ切り換えさせるための復旧信号を発生させる復旧信号発生部と、
前記復旧信号の発生回数に対応される大きさの累積カウント信号を出力するカウンタ部と、
前記累積カウント信号の大きさが既に設定された基準値より大きい場合、カウンティング比較信号を発生させるカウンティング比較部と、
前記カウンティング比較信号及び前記累積カウント信号に応じて、前記復旧中断信号及び前記カウンタ部のカウンティングを中断させるためのリセット信号の発生を制御する復旧中断部と、を備える
ことを特徴とする請求項１に記載のＵＰＳ自動監視システム。
【請求項３】
前記カウンタ部は、
前記復旧信号の発生回数に比例して前記累積カウント信号の大きさを一定の大きさずつ増加させることを特徴とする請求項２に記載のＵＰＳ自動監視システム。
【請求項４】
前記復旧中断部は、
前記カウンティング比較信号が発生すれば、前記復旧中断信号及び前記リセット信号を全て発生させる
ことを特徴とする請求項３に記載のＵＰＳ自動監視システム。
【請求項５】
前記復旧信号発生部は、
前記バイパス信号及び前記インバータオン信号が発生した状態で前記復旧中断信号が発生すれば、前記復旧信号の発生を中断させる
ことを特徴とする請求項４に記載のＵＰＳ自動監視システム。
【請求項６】
前記復旧中断部は、
前記カウンティング比較信号の発生と係りなく前記累積カウント信号が発生したあと、既に設定された一定の時間が経過すれば前記リセット信号を発生させる
ことを特徴とする請求項２に記載のＵＰＳ自動監視システム。
【請求項７】
前記復旧中断部は、
前記カウンティング比較信号に応じて差動信号を出力するＪ／Ｋフリップフロップと、
前記累積カウント信号を既に設定された一定の時間遅延させる遅延部と、
前記差動信号のうち前記カウンティング比較信号と同一の位相を有する第１差動信号と、前記遅延部の出力信号のうち少なくとも何れか一信号が発生するとき、前記リセット信号を前記カウンタ部に出力する論理演算部と、を備える
ことを特徴とする請求項２に記載のＵＰＳ自動監視システム。
【請求項８】
前記Ｊ／Ｋフリップフロップは、
前記差動信号のうち前記カウンティング比較信号と逆位相を有する第２差動信号を、前記復旧中断信号に出力する
ことを特徴とする請求項７に記載のＵＰＳ自動監視システム。
【請求項９】
ＵＰＳの電源供給経路が正常電源ラインからバイパスラインに切り換わるとき、既に設定された回数に亘って電源供給経路を再度強制的に正常電源ラインに復旧させるＵＰＳ自動復旧方法。
【請求項１０】
ＵＰＳの電源供給経路が正常電源ラインからバイパスラインに切り換わったのか否かを確認する第１段階と、
前記電源供給経路が前記バイパスラインに切り換わるとき、前記ＵＰＳのインバータをオンさせて前記電源供給経路を再度前記正常電源ラインに切り換えさせる第２段階と、
前記バイパスラインへの切換え回数が既に設定された回数に到逹するまで、前記第１及び第２段階を繰り返して行なう第３段階と、を含む
ことを特徴とする請求項９に記載のＵＰＳ自動復旧方法。
【請求項１１】
第１段階は、
前記ＵＰＳで、前記電源供給経路を前記正常電源ラインから前記バイパスラインに切り替えさせるためのバイパス信号の発生可否を確認する
ことを特徴とする請求項１０に記載のＵＰＳ自動復旧方法。
【請求項１２】
前記第３段階は、
前記電源供給経路を前記バイパスラインから前記正常電源ラインに切り換えさせるための復旧信号の発生回数をカウントし、その回数が既に設定された一定時間のあいだ、前記既に設定された回数に到逹するまで前記第１及び第２段階を繰り返して行なう
ことを特徴とする請求項１１に記載のＵＰＳ自動復旧方法。
【請求項１３】
前記第３段階は、
前記復旧信号の発生回数が前記既に設定された回数に到逹するか、前記復旧信号の発生後前記バイパス信号が発生しない場合、前記復旧信号の発生を中断させる
ことを特徴とする請求項１２に記載のＵＰＳ自動復旧方法。
【発明の詳細な説明】
【技術分野】
【０００１】
本発明は、無停電電源供給装置(ＵＰＳ：Uninterruptible Power Supply)に関し、より詳しくは、ＵＰＳの異常発生により電源供給経路がバイパスラインに切り換わる場合、当該障害が一時的な障害によるものなのか否かを判断し、当該障害が一時的な障害の場合は電源供給経路を速やかに再度正常電源ラインに復帰させるＵＰＳ自動監視システム及びこれを利用した自動復旧方法に関する。
【背景技術】
【０００２】
一般に、ＵＰＳは常用電源が予告なく停電するか入力電源が均等でなくとも、一定の電圧と周波数の電源を安定的に負荷に供給することを目的に設計される。
【０００３】
図１は、従来の無停電電源供給装置(ＵＰＳ)の構成を示す構成図である。
【０００４】
正常モードで、スィッチＣＢ１を介しＵＰＳに交流(ＡＣ)電源が入力されると、入力された交流(ＡＣ)電源は整流器１から直流(ＤＣ)電源に変換されたあとインバータ２に供給され、同時にバッテリ３に充電される。インバータ２は、整流器１の出力電源を再度交流に変換して負荷に供給する。このとき、出力遮断器ＣＢ３はＯＮ状態であり、バイパス部４のスィッチＳＴＳ、ＣＢ４はＯＦＦ状態である。このとき、停電などにより入力電源が遮断されると、バッテリ３に充電された直流電源がインバータ２により交流電源に変換され、その変換された交流電源が負荷に供給される。このように、入力電源またはバッテリ３の直流電源がインバータ２を介し供給される経路を正常電源ラインという。
【０００５】
ところが、入力電源が正常に入力される状態でＵＰＳ内部の故障または外部の瞬間短絡が発生することになれば、正常電源ラインを介した電源供給が不可能になる場合が発生し得る。このような場合、ＵＰＳの制御手段(図示省略)は出力遮断器ＣＢ３をＯＦＦさせて正常電源ラインを遮断する。なお、制御手段(図示省略)はバイパス部４のスィッチＳＴＳ、ＣＢ４をＯＮさせて電源供給経路を正常電源ラインからバイパスラインに切り換えさせる。これにより、入力電源はバイパスラインを介し直ちに負荷に供給される。このとき、バイパス部４のスィッチＣＢ４は、スタティックスィッチＳＴＳと同時にＯＮ信号を印加され、スタティックスィッチＳＴＳがＯＮになったあと直ちにＯＮになる。
【０００６】
電源供給経路がバイパスラインに切り換わると、使用者はＵＰＳの異常状態を点検し、点検が完了すれば手動で電源供給を「インバータ優先」に変更する。これにより、電源は再度正常電源ラインを介し負荷に供給される。
【０００７】
このように従来のＵＰＳの場合、電源供給経路がバイパスラインに切り換わったあと再度正常電源ラインに切り換わるためには、使用者の人為的な動作を要した。
【０００８】
ところが、ＵＰＳでバイパスラインへの切換えは、正常電源ラインに本当に重要な異常が発生する場合にも発生し得るが、ＵＰＳ内部の一時的な制御異常または外部の一時的な負荷短絡などによっても発生し得る。しかし、一旦バイパスラインへの切換えが行なわれると、使用者による点検及び正常電源ラインへの手動切換過程を経なければならないので、たとえ一時的な制御異常または外部の一時的な負荷短絡による場合にも、その復帰過程に多くの時間を要するとの問題がある。さらに、このような復帰過程中バイパスラインに異常が発生することになれば、負荷に対する電源供給が完全に遮断されるとの問題が発生する。
【発明の概要】
【発明が解決しようとする課題】
【０００９】
本発明の目的は、ＵＰＳの一時的な障害により電源供給経路がバイパスラインに切り換わる場合、これを再度速やかに正常電源経路に復帰させることにより、ＵＰＳ装置による電源供給がより安定的になされ得るようにすることにある。
【課題を解決するための手段】
【００１０】
前記のような目的を達成するための本発明のＵＰＳ自動監視システムは、ＵＰＳの電源供給経路が正常電源ラインからバイパスラインに切り換わるとき、既に設定された回数ほど電源供給経路を再度強制的に正常電源ラインに復旧させる。
【００１１】
このような本発明のＵＰＳ自動監視システムは、バイパス信号が発生するとき、ＵＰＳのインバータをオンさせるためのインバータオン信号を発生させるインバータオン発生部と、前記バイパス信号、前記インバータオン信号及び復旧中断信号に応じて電源供給経路をバイパスラインから正常電源ラインへ切り換えさせるための復旧信号を発生させる復旧信号発生部と、前記復旧信号の発生回数に対応される大きさの累積カウント信号を出力するカウンタ部と、前記累積カウント信号の大きさが既に設定された基準値より大きい場合、カウンティング比較信号を発生させるカウンティング比較部と、前記カウンティング比較信号及び前記累積カウント信号に応じて、前記復旧中断信号及び前記カウンタ部のカウンティングを中断させるためのリセット信号の発生を制御する復旧中断部とを備える。
【００１２】
本発明のＵＰＳ自動復旧方法は、ＵＰＳの電源供給経路が正常電源ラインからバイパスラインに切り換わったのか否かを確認する第１段階と、前記電源供給経路が前記バイパスラインに切り換わるとき、前記ＵＰＳのインバータをオンさせて前記電源供給経路を再度前記バイパスラインから前記正常電源ラインに切り換えさせる第２段階と、前記バイパスラインへの切換え回数が既に設定された回数に到逹するまで、前記第１及び第２段階を繰り返して行なう第３段階とを含む。
【発明の効果】
【００１３】
本発明は、一時的な障害によりＵＰＳの電源供給経路がバイパスラインに切り換わる場合、電源供給経路を速やかに再度正常電源経路に復帰させることにより、ＵＰＳ装置による電源供給がより安定的に行なわれ得るようにする。
【図面の簡単な説明】
【００１４】
【図１】従来の無停電電源供給装置(ＵＰＳ)の構成を示す構成図である。
【図２】本発明に係るＵＰＳ自動監視システムの構成を示す構成図である。
【図３】ＵＰＳの異常が一時的な場合、本発明に係る自動復旧動作を示すタイミング図である。
【図４】復旧信号ＳＲＥＣＯが連続的に３回発生する場合、本発明に係る自動復旧動作過程を示すタイミング図である。
【図５】復旧信号ＳＲＥＣＯが連続的に５回発生する場合、本発明に係る自動復旧動作過程を示すタイミング図である。
【発明を実施するための形態】
【００１５】
図等を参照しながら、本発明の好ましい実施形態をより詳しく説明する。
【００１６】
図２は、本発明に係るＵＰＳ自動監視システムの構成を示す構成図である。
【００１７】
図２のＵＰＳ自動監視システムは、インバータオン発生部１０、復旧信号発生部２０、カウンタ部３０、カウンティング比較部４０及び復旧中断部５０を備える。
【００１８】
インバータオン発生部１０は、ＵＰＳに異常が発生するとき電源供給経路を正常電源ラインからバイパスラインに切り換えさせるためのバイパス信号ＳＩＴＢが発生すれば、既に設定された一定の時間が経過したとき、インバータ２をオンさせるためのインバータオン信号ＳＩＮＶ-ＯＮを出力する。即ち、電源供給経路が正常電源ラインからバイパスラインに切り換わると、そのような切換えの原因が一時的な異常の発生によるものなのか否かを確認するため、インバータオン発生部１０はバイパス信号ＳＩＴＢが発生すれば、自動にインバータオン信号ＳＩＮＶ-ＯＮを発生させる。
【００１９】
復旧信号発生部２０は、バイパス信号ＳＩＴＢ、インバータオン信号ＳＩＮＶ-ＯＮ、及び後述する復旧中断信号ＳＳＴＯＰに応じて電源供給経路をバイパスラインから正常電源ラインに復帰させるための復旧信号ＳＲＥＣＯを出力する。このような復旧信号発生部２０は、バイパス信号ＳＩＴＢ、インバータオン信号ＳＩＮＶ-ＯＮ及び復旧中断信号ＳＳＴＯＰを入力信号にするＡＮＤゲートＡＮＤを備える。
【００２０】
カウンタ部３０は、復旧信号発生部２０の出力信号、即ち復旧信号ＳＲＥＣＯの発生回数をカウントし、復旧信号ＳＲＥＣＯが発生した回数に対応される大きさを有する累積カウント信号ＳＣＯＵＮＴを出力する。本実施形態では、カウンタ部３０としてアップカウンタを用いる。カウンタ部３０は、復旧信号ＳＲＥＣＯが発生するたびに累積カウント信号ＳＣＯＵＮＴの大きさを一定量(例えば、１Ｖ)ほど増加させて出力する。例えば、カウンタ部３０は復旧信号ＳＲＥＣＯが一度発生すれば１Ｖの大きさを有する累積カウント信号ＳＣＯＵＮＴを出力し、以後もう一度復旧信号ＳＲＥＣＯが発生すれば２Ｖ(１Ｖ + １Ｖ)の大きさを有する累積カウント信号ＳＣＯＵＮＴを出力する。このような、カウンタ部３０は正常動作信号ＳＮＯＲまたは復旧中断部５０からのリセット信号ＳＲＳＴが印加されるときリセットされてカウントを中断する。
【００２１】
カウンティング比較部４０は、累積カウント信号ＳＣＯＵＮＴの大きさを既に設定された基準値ＶＲＥＦと比べ、累積カウント信号ＳＣＯＵＮＴの大きさが基準値ＶＲＥＦより大きくなればカウンティング比較信号ＳＣＯＵＮＴ-ＣＯＭＰを出力する。このとき、基準値ＶＲＥＦの大きさはＵＰＳに異常が発生したとき、本発明の自動監視システムが復旧動作を何回施行するようにするのかに従って決定される。即ち、累積カウント信号ＳＣＯＵＮＴの大きさは復旧信号ＳＲＥＣＯの発生回数に比例して１Ｖずつ増加するので、基準値ＶＲＥＦを２Ｖ〜３Ｖの間に設定することになれば、復旧信号ＳＲＥＣＯが３回発生するときカウンティング比較信号ＳＣＯＵＮＴ-ＣＯＭＰが発生する。このようなカウンティング比較部４０は、累積カウント信号ＳＣＯＵＮＴの大きさを既に設定された基準値ＶＲＥＦと比べ、カウンティング比較信号ＳＣＯＵＮＴ-ＣＯＭＰを出力する比較器ＣＯＭＰ１、及び比較器ＣＯＭＰ１の出力信号ＳＣＯＵＮＴ-ＣＯＭＰを一定時間遅延させて復旧中断部５０に出力する遅延部４２を備える。
【００２２】
復旧中断部５０は、カウンティング比較信号ＳＣＯＵＮＴ-ＣＯＭＰに応じて本発明の自動復旧動作及びカウンタ部３０のカウンティング動作を選択的に中断させる。即ち、復旧中断部５０はカウンティング比較信号ＳＣＯＵＮＴ-ＣＯＭＰが発生すれば、ＵＰＳに発生した異常が一時的な異常でない重大な欠陷による異常であると判断して復旧中断信号ＳＳＴＯＰを発生させる。復旧中断信号ＳＳＴＯＰは、復旧信号発生部２０に印加され復旧信号ＳＲＥＣＯの発生を中断させる。さらに、復旧中断部５０はＯＲゲートＯＲの何れか一入力端にハイレベルの信号を出力してリセット信号ＳＲＳＴを発生させる。さらに、復旧中断部５０は一定の時間(例えば、３分)のあいだ既に設定された回数ほど復旧信号 ＳＲＥＣＯが発生しない場合、これを定常状態と判断し、リセット信号ＳＲＳＴを発生させてカウンタ部３０のカウンティング動作を中断させる。このような復旧中断部５０は、カウンティング比較信号ＳＣＯＵＮＴ-ＣＯＭＰに応じて差動信号(Ｑ、／Ｑ)を出力するＪ／Ｋフリップフロップ５２、累積カウント信号ＳＣＯＵＮＴの発生を感知してこれを四角波に変換させて出力するための比較器ＣＯＭＰ２、比較器ＣＯＭＰ２の出力信号を一定時間遅延させる遅延部５４、及びＪ／Ｋフリップフロップ５２の何れか一差動信号(Ｑ)と遅延部５４からの遅延カウント信号ＳＣＯＵＮＴ-DLYのうち少なくとも何れか一信号が発生するときにリセット信号ＳＲＳＴを出力するＯＲゲートＯＲを備える。
【００２３】
図３〜図５は、本発明に係る自動監視システムの動作を説明するためのタイミング図である。
【００２４】
図３は、ＵＰＳの異常が一時的な場合、本発明に係る自動復旧動作を示すタイミング図である。
【００２５】
図１で言及したように、ＵＰＳ内部の故障または外部の瞬間短絡が発生することになれば、正常電源ラインを介した電源供給が不可能になる場合が発生し得る。このような場合、ＵＰＳの制御手段(図示省略)は出力遮断器ＣＢ３をＯＦＦさせて正常電源ラインを遮断する。そして、制御手段(図示省略)はバイパス部４のスィッチＳＴＳ、ＣＢ４をＯＮさせ、電源供給経路を正常電源ラインからバイパスラインに切り換えさせるためバイパス信号ＳＩＴＢを発生させることになる。
【００２６】
ところが、発生した異常が本当に重大な異常であって使用者による別途の点検及び措置を要する場合もあり得るが、一時的に発生した異常(例えば、温度センサの一時的な断線、一時的なファン(ＦＡＮ)の異常など)で早いうちに自動に復旧される異常であり得る。
【００２７】
したがって、電源供給経路がバイパスラインに切り換わると、本発明の自動監視システムは先ず以下で説明される本発明の自動復旧動作を行なう。そして、自動復旧が行なわれなければ、従来のように使用者による手動的な点検及び復旧がなされ得るようにする。
【００２８】
本発明に係る自動復旧動作を説明する。
【００２９】
バイパス信号ＳＩＴＢが発生すれば、インバータオン発生部１０は直ちにまたは一定の時間以後にインバータオン信号ＳＩＮＶ-ＯＮを発生させてインバータ２を再度オンさせる。このとき、バイパス信号ＳＩＴＢ及びインバータオン信号ＳＩＮＶ-ＯＮは復旧信号発生部２０にも入力される。
【００３０】
インバータオン信号ＳＩＮＶ-ＯＮが発生すれば、インバータ２は再度オンされて初期化の過程を経たあと、電源供給のための動作を行なう。このようなインバータ２の動作は、従来使用者の手動操作によりインバータ２が再度オンされるときの動作と同じである。
【００３１】
このとき、カウンティング比較信号ＳＣＯＵＮＴ-ＣＯＭＰが未だ発生していない状態(ローレベル)なので、復旧信号発生部２０の他の一つの入力信号ＳＳＴＯＰは、図３でのようにハイレベル状態を維持することになる。
【００３２】
したがって、復旧信号発生部２０は３つの入力信号が全てハイレベルで印加されるので、電源供給経路をバイパスラインから再度正常電源ラインに切り換えさせよとの復旧信号ＳＲＥＣＯをハイレベルで発生させる。復旧信号発生部２０から出力された復旧信号ＳＲＥＣＯにより、ＵＰＳは電源供給経路をバイパスラインから正常電源ラインに復帰させる。そして、該復旧信号ＳＲＥＣＯはカウンタ部３０にも印加される。
【００３３】
カウンタ部３０は復旧信号ＳＲＥＣＯが初めて発生したので、１Ｖの大きさを有する累積カウント信号ＳＣＯＵＮＴを発生させる。１Ｖの大きさの累積カウント信号ＳＣＯＵＮＴは基準値ＳＲＥＦ(例えば、２.５Ｖ)より小さいので、カウンティング比較信号ＳＣＯＵＮＴ-ＣＯＭＰは依然ローレベル状態を維持することになる。したがって、復旧中断信号ＳＳＴＯＰも依然ハイレベル状態を維持することになる。しかし、復旧信号ＳＲＥＣＯの発生でバイパス信号ＳＩＴＢがローレベルに切り換わるので、復旧信号ＳＲＥＣＯは再度ローレベルに切り換わる。そして、遅延カウント信号ＳＣＯＵＮＴ-DLYは累積カウント信号ＳＣＯＵＮＴが発生したが、遅延部５４による遅延時間のあいだは依然ローレベル状態を維持することになる。
【００３４】
このように、インバータオン信号ＳＩＮＶ-ＯＮによりインバータ２が強制的に再度オンされ、復旧信号ＳＲＥＣＯにより電源供給経路が再度正常電源ラインに復帰されたが、インバータ２で発生した異常が未だ維持されている場合、ＵＰＳは再度バイパス信号ＳＩＴＢを発生させて電源供給経路をバイパスラインに再度切り換えさせる。
【００３５】
そうすると、前述のように、インバータオン発生部１０は再度インバータオン信号ＳＩＮＶ-ＯＮを発生させ、これに伴い図３でのように復旧信号発生部２０も再度復旧信号ＳＲＥＣＯを発生させる。即ち、復旧信号ＳＲＥＣＯが２回発生することになる。
【００３６】
復旧信号ＳＲＥＣＯが再度発生するに伴い、カウンタ部３０は累積カウント信号ＳＣＯＵＮＴの大きさを２Ｖに増加させて出力する。しかし、２Ｖの大きさの累積カウント信号ＳＣＯＵＮＴもやはり基準値ＳＲＥＦ(例えば、２.５Ｖ)より小さいので、カウンティング比較信号ＳＣＯＵＮＴ-ＣＯＭＰは依然ローレベル状態を維持する。これに伴い、復旧中断信号ＳＳＴＯＰも依然ハイレベル状態を維持することになる。しかし、復旧信号ＳＲＥＣＯの発生でバイパス信号ＳＩＴＢがローレベルに切り換わるので、復旧信号ＳＲＥＣＯも再度ローレベルに切り換わる。
【００３７】
ところが、このとき幸いにもＵＰＳに発生した異常が一時的な異常なので、該異常が自動復旧されると、ＵＰＳは再度正常動作を行なうことになる。例えば、図２において温度センサの接点信号ＳＮＯＲが再度正常に発生すれば、接点信号ＳＮＯＲによりカウンタ部３０がリセットされてカウンティング動作が中断される。
【００３８】
図２では、温度センサの接点信号ＳＮＯＲが発生する場合にカウンタ部３０がリセットされるようにしているが、たとえ温度センサの接点信号ＳＮＯＲは引続き発生しなくとも、正常電源ラインを介した電源供給ができればカウンティング動作を持続する必要がなくなる。即ち、遅延部５４は累積カウント信号ＳＣＯＵＮＴを一定時間遅延させたあとＯＲゲートに印加することにより、一定時間以内に再度バイパス信号ＳＩＴＢが発生しなければカウンタ部３０をリセットさせる。これに伴い、累積カウント信号ＳＣＯＵＮＴはローレベルに遷移される。
【００３９】
その後、本発明の自動監視システムはＵＰＳに再度異常が発生してバイパス信号ＳＩＴＢが発生するまで、自動復旧動作を中断することになる。
【００４０】
図２では、温度センサの接点信号ＳＮＯＲに応じてカウンタ部３０をリセットさせるように構成されているが、これは本発明の一実施形態に過ぎないだけであり、以前の経験または統計資料などを利用して、使用者は温度センサ及び/または他の一時的な異常の発生が予想される機器に対し適用が可能である。
【００４１】
図４は、復旧信号ＳＲＥＣＯが連続的に３回発生する場合、発明に係る自動復旧動作の過程を示すタイミング図である。即ち、ＵＰＳの異常が一時的なものではない場合、本発明に係る自動復旧動作を示す。
【００４２】
前述の図３の場合では、２回の復旧信号ＳＲＥＣＯだけが発生し、その後バイパス信号ＳＩＴＢが再度発生しないことにより、これ以上の復旧動作を行なわない場合を説明した。しかし、２回の復旧動作にも拘らず再度バイパス信号ＳＩＴＢが発生する場合があり得る。
【００４３】
即ち、インバータオン信号ＳＩＮＶ-ＯＮ及び復旧信号ＳＲＥＣＯが２回発生してインバータ２を２回強制的にオンさせたが、依然インバータ２で発生した異常が維持されている場合、ＵＰＳは再度バイパス信号ＳＩＴＢを発生させる。
【００４４】
そうすると、インバータオン発生部１０はさらにまたインバータオン信号ＳＩＮＶ-ＯＮを発生させることになり、これに伴い復旧信号発生部２０もさらにまた復旧信号ＳＲＥＣＯを発生させることになる。即ち、復旧信号ＳＲＥＣＯが３回発生することになる。
【００４５】
このように、復旧信号ＳＲＥＣＯが３回発生すれば、カウンタ部３０は３Ｖの大きさの累積カウント信号ＳＣＯＵＮＴを発生させる。これに伴い、比較器ＣＯＭＰ１はカウンティング比較信号ＳＣＯＵＮＴ-ＣＯＭＰをハイレベルで発生させて出力することになり、カウンティング比較信号ＳＣＯＵＮＴ-ＣＯＭＰは遅延部４２により一定時間遅延され、Ｊ／Ｋフリップフロップ５２に印加される。
【００４６】
カウンティング比較信号ＳＣＯＵＮＴ-ＣＯＭＰがハイレベルに切り換わるに伴い、Ｊ／Ｋフリップフロップ５２の何れか一つの差動信号(／Ｑ)、即ち復旧中断信号ＳＳＴＯＰがローレベルに切り換わる。これに伴い、復旧信号発生部２０は復旧信号ＳＲＥＣＯをローレベルに発生させない。同時に、Ｊ／Ｋフリップフロップ５２の他の差動信号(Ｑ)がハイレベルで出力されることによりリセット信号ＳＲＳＴが発生し、カウンタ部３０のカウンティング動作も中断される。
【００４７】
即ち、本実施形態では電源供給経路がバイパスラインに切り換わる場合、先ず自動復旧動作を連続的に３回行ない、それでも復旧がなされない場合はＵＰＳの異常を重大な欠陷と判断してこれ以上の復旧動作を行なわない。このような場合、従来のように使用者による手動復旧を進めることになる。
【００４８】
図５は、復旧信号ＳＲＥＣＯが連続的に５回発生する場合、本発明に係る自動復旧動作の過程を示すタイミング図である。
【００４９】
本実施形態は、図４と比べてカウンティング比較部４０の基準値ＶＲＥＦを、例えば４.５Ｖに高めることにより、一定時間のあいだ復旧信号ＳＲＥＣＯが連続的に５回発生することになれば自動復旧動作を中断させる場合を示す。即ち、自動復旧動作の回数は基準値ＶＲＥＦを調節することにより調整が可能である。
【００５０】
本実施形態における自動復旧の原理は図４と同じなので、これに対する説明は省略する。
【図１】
2010509902.tif 000003
【図２】
2010509902.tif 000004
【図３】
2010509902.tif 000005
【図４】
2010509902.tif 000006
【図５】
2010509902.tif 000007
【国際調査報告】
2010509902.tif 000008
2010509902.tif 000009